(57)【要約】【課題】映像以外の情報も出力できるようにすることで、効果的な宣伝を行う。【解決手段】コンテンツ出力装置としてのサイネージ装置１０のＣＰＵは、映像情報を含むコンテンツデータを再生してスクリーンパネル１０Ｂに投影出力させると共に、この再生しているコンテンツデータに関連する位置情報及び天気情報を、ブルートゥースコントローラによりブルートゥースアンテナ５０を介してスマートウォッチ２０に無線送信出力する。【選択図】図１
2018046490.tif 000002
【特許請求の範囲】
【請求項１】
映像データを含むコンテンツデータを再生出力する再生手段と、
上記再生手段で再生出力している上記コンテンツデータに関連する位置情報及び天気情報を無線送信出力する無線送信手段と、
を備えるコンテンツ出力装置。
【請求項２】
通信ネットワークを介して情報を取得する情報取得手段をさらに備え、
上記再生手段で再生している上記コンテンツデータは、上記情報取得手段によってライブカメラから取得したライブカメラ映像データである、
請求項１記載のコンテンツ出力装置。
【請求項３】
上記情報取得手段は、上記ライブカメラの設置場所における位置情報及び天気情報を取得し、
上記無線送信手段は、この取得した上記位置情報及び上記天気情報を無線送信出力する、
請求項２記載のコンテンツ出力装置。
【請求項４】
上記天気情報は、降水量情報を含む、請求項３記載のコンテンツ出力装置。
【請求項５】
上記情報取得手段は、現在時点の降水量情報とその位置情報とを提供するクラウドサーバ装置から、現在時点で雨が降っている複数の降雨地点それぞれの降水量情報及び位置情報を取得し、
それら複数の降雨地点の内の一つの選択を受け付ける選択手段をさらに備え、
上記情報取得手段は、上記ライブカメラ映像データとして、上記選択手段によって選択された上記降雨地点に対応するライブカメラ映像データを取得し、
上記無線送信手段は、上記選択手段によって選択された上記降雨地点の上記降水量情報及び上記位置情報を無線送信出力する、
請求項４記載のコンテンツ出力装置。
【請求項６】
映像データを含むコンテンツデータを再生出力する再生工程と、
上記再生出力している上記コンテンツデータに関連する位置情報及び天気情報を無線送信出力する無線送信工程と、
を有するコンテンツ出力方法。
【請求項７】
コンテンツを出力する装置が内蔵したコンピュータが実行するプログラムであって、上記コンピュータを、
映像データを含むコンテンツデータを再生出力する再生手段、及び
上記再生手段で再生出力している上記コンテンツデータに関連する位置情報及び天気情報を無線送信出力する無線送信手段、
として機能させるプログラム。
【発明の詳細な説明】
【技術分野】
【０００１】
本発明は、コンテンツ出力装置、コンテンツ出力方法及びプログラムに関する。
【背景技術】
【０００２】
閲覧者に対し、印象を高めることができる映像出力装置搭載機器を提供するべく、例えば人の形をしたスクリーンに画像を投影するようにした技術が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術を含めて、この種の映像出力装置では、一方的な映像しか出力できなかった。
【０００５】
本発明は上記のような実情に鑑みてなされたもので、その目的とするところは、映像以外の情報も出力できるようにすることが可能なコンテンツ出力装置、コンテンツ出力方法及びプログラムを提供することにある。
【課題を解決するための手段】
【０００６】
本発明のコンテンツ出力装置の一態様は、映像データを含むコンテンツデータを再生出力する再生手段と、上記再生手段で再生出力している上記コンテンツデータに関連する位置情報及び天気情報を無線送信出力する無線送信手段と、を備える。
【発明の効果】
【０００７】
本発明によれば、映像以外の情報である位置情報及び天気情報も送信出力できるようにすることが可能となる。
【図面の簡単な説明】
【０００８】
【図１】本発明のコンテンツ出力装置の一実施形態に係るサイネージ装置を含むコンテンツ再生システム全体の構成を示す図。
【図２】同実施形態に係るサイネージ装置の主として電子回路の機能構成を示すブロック図。
【図３】同実施形態に係るサイネージ装置における処理内容を示すフローチャート。
【図４】同実施形態に係るサイネージ装置の投影表示例を示す図。
【図５】同実施形態におけるスマートウォッチの表示例を示す図。
【発明を実施するための形態】
【０００９】
以下、本発明を、例えばコンテンツを出力するためのコンテンツ再生システムに適用した場合の一実施形態について図面を参照して説明する。また、本実施形態では、スマートウォッチを想定する。
【００１０】
図１に示すように、本コンテンツ再生システムは、店頭に設置されるサイネージ装置１０と、このサイネージ装置１０とブルートゥース（登録商標）等の近距離無線通信信号Ｂｔによって接続されるスマートウォッチ２０と、サイネージ装置１０が通信可能なインターネットを含む通信ネットワークＮＷ上のクラウドサーバ装置ＳＶと、を備える。
【００１１】
サイネージ装置１０は、本体筐体１０Ａ上に白色半透明板状のスクリーンパネル１０Ｂを立設し、当該スクリーンパネル１０Ｂの背面下方から画像を投影することにより、図示する如く人型の各種キャラクタや商品情報などの画像を任意に表示する。また、商品説明の音声を任意に発声することも可能になっている。
【００１２】
スマートウォッチ２０は、ユーザが携帯するスマートフォン等の携帯型情報処理機器と近距離無線通信信号によって接続され、当該携帯型情報処理機器で実行されているアプリケーションプログラム（以下、「アプリ」と略記する）と連動した表示を行えるように構成されている。
【００１３】
そのようなライブ天気アプリの一は、降水量情報等の天気情報を提供するクラウドサーバ装置ＳＶにアクセスして、携帯型情報処理機器が備えるＧＰＳ受信機で受信したＧＰＳ信号に基づく位置情報により、当該携帯情報機器の現在位置に関する天気情報を取得して、その天気情報をＡＲ（拡張現実）表示する。すなわち、このライブ天気アプリでは、携帯型情報処理機器のカメラによって取得した風景上に、その場所に関する天気情報、例えばその場所での雨の降り方を降水量に応じたグラフィックを重畳表示するものである。
【００１４】
スマートウォッチ２０には、この携帯型情報処理機器のライブ天気アプリと連動する端末用ライブ天気アプリが予めインストールされており、携帯型情報処理機器から位置情報と天気情報とを受信して、それら現在位置と天気情報を、そのタッチパネル付き表示部２１にグラフィカル表示する。なお、クラウドサーバ装置ＳＶにアクセス可能な通信機能を備えるスマートウォッチ２０では、位置情報を受信し、それを利用して自ら天気情報を取得することか可能である。なお、端末用ライブ天気アプリは、ユーザが任意にインストール可能になっていても良い。
【００１５】
サイネージ装置１０は、図２に示すように、コンテンツメモリ３１、投影画像駆動部３２、マイクロミラー素子３３、光源部３４、ミラー３５、投影レンズ部３６、ＮＦＣ部４０、ＣＰＵ４１、メインメモリ４２、プログラムメモリ４３、操作部４４、音処理部４５、スピーカ部４６、ブルートゥースコントローラ４７、無線ＬＡＮインタフェース（Ｉ／Ｆ）４８、人感センサ４９、ブルートゥースアンテナ５０、無線ＬＡＮアンテナ５１及びシステムバスＳＢを有している。
【００１６】
コンテンツメモリ３１は、商品に対応する宣伝情報のコンテンツであるコンテンツデータが記憶される。このコンテンツデータは、一般に、画像データ及び音声データ等から構成される。さらに、そのコンテンツ特有の動作を後述するＣＰＵ４１に行わせるための専用プログラムの全部または一部を含んでいても良い。なお、コンテンツメモリ３１は、当該サイネージ装置１０の本体筐体１０Ａに対して着脱可能に構成されていて、商品に応じて交換される。あるいは、コンテンツメモリ３１は本体筐体１０Ａに固定として、無線ＬＡＮインタフェース４８により無線ＬＡＮアンテナ５１を介してまたは図示しない有線ＬＡＮインタフェースにより、通信ネットワークＮＷ上のクラウドサーバ装置ＳＶからコンテンツデータをダウンロードして、このコンテンツメモリ３１の記憶内容が書き換え得るようになっていても良い。
【００１７】
コンテンツメモリ３１に記憶されたコンテンツデータの内、画像データは、後述するＣＰＵ４１により読み出され、システムバスＳＢを介して投影画像駆動部３２に送られる。投影画像駆動部３２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子３３を表示駆動する。
【００１８】
このマイクロミラー素子３３は、ＭＥＭＳ（Ｍｉｃｒｏ  Ｅｌｅｃｔｒｏ  Ｍｅｃｈａｎｉｃａｌ  Ｓｙｓｔｅｍｓ）技術により製造され、アレイ状に配列された複数個、例えばＷＸＧＡ（横１２８０画素×縦８００画素）分の微小ミラーの各傾斜角度を個々に高速でオン／オフ動作して表示動作することで、その反射光により光像を形成する。
【００１９】
一方で、光源部３４から時分割でＲ，Ｇ，Ｂの原色光が循環的に出射される。光源部３４は、半導体発光素子であるＬＥＤを有し、Ｒ，Ｇ，Ｂの原色光を時分割で繰返し出射する。光源部３４が有するＬＥＤは、広義でのＬＥＤとして、ＬＤ（半導体レーザ）や有機ＥＬ素子を含むものとしても良い。
【００２０】
この光源部３４からの原色光が、ミラー３５で反射して、上記マイクロミラー素子３３に照射される。そして、マイクロミラー素子３３での反射光で光像が形成され、その形成された光像が、投影レンズ部３６を介して上記スクリーンパネル１０Ｂに背面側から投射される。
【００２１】
一方、コンテンツメモリ３１に記憶されたコンテンツデータの内、音声データは、後述するＣＰＵ４１により読み出され、システムバスＳＢを介して音処理部４５に送られる。音処理部４５は、ＰＣＭ音源等の音源回路を備え、投影動作時に上記コンテンツメモリ３１から読み出された音声データをアナログ化し、図１に示すように本体筐体１０Ａの前面下部に配置されたスピーカ部４６を駆動して放音させる。
【００２２】
上記システムバスＳＢと接続されたＮＦＣ部４０は、図１に示すように、本体筐体１０Ａの前面に設けられたタッチ部４０Ａを有する。ＮＦＣ部４０は、スマートフォン等、予めこのサイネージ装置１０の提供サービスに登録されているＮＦＣ（Ｎｅａｒ  Ｆｉｅｌｄ  Ｃｏｍｍｕｎｉｃａｔｉｏｎ）技術を用いた媒体が、このタッチ部４０Ａに当接された場合に、その媒体とのデータの送受を行う。
【００２３】
上記各回路の動作すべてをＣＰＵ４１が制御する。このＣＰＵ４１は、メインメモリ４２及びプログラムメモリ４３と直接接続される。メインメモリ４２は、例えばＳＲＡＭで構成され、ＣＰＵ４１のワークメモリとして機能する。プログラムメモリ４３は、電気的書換可能な不揮発性メモリ、例えばフラッシュＲＯＭで構成され、ＣＰＵ４１が実行するアプリを含む動作プログラムや各種定型データ等を記憶する。
【００２４】
ＣＰＵ４１は、上記プログラムメモリ４３に記憶されている動作プログラムや定型データ等を読み出し、メインメモリ４２に展開して記憶させた上で当該プログラムを実行することにより、このサイネージ装置１０を統括して制御する。
【００２５】
なお、ＣＰＵ４１に、コンテンツメモリ３１に記憶されたコンテンツデータを再生させるための動作プログラムは、上述したプログラムメモリ４３に記憶されている。すなわち、プログラムメモリ４３には、コンテンツメモリ３１の交換あるいはコンテンツメモリ３１へのコンテンツデータの書き換えに合わせて、それ専用の動作プログラムが書き換え記憶される。あるいは、プログラムメモリ４３には、コンテンツデータによらない汎用動作プログラムを記憶しておき、コンテンツデータに応じた専用プログラムの全部または一部をコンテンツデータと共にコンテンツメモリ３１に記憶しておくようにしても良い。この場合には、ＣＰＵ４１は、汎用動作プログラムを実行中に、適宜、専用プログラムを呼び出して、コンテンツデータを再生する。
【００２６】
上記ＣＰＵ４１は、操作部４４からの操作信号に応じて各種投影動作を実行する。この操作部４４は、サイネージ装置１０の本体筐体１０Ａに備えるいくつかの操作キーのキー操作信号を受付け、受付けた操作に応じた信号を上記ＣＰＵ４１へ送出する。操作キーとしては、図示しない電源キーに加えて、図１に示すように、メニュー選択ボタン４４Ａ〜４４Ｄが本体筐体１０Ａの前面上部に設けられている。
【００２７】
また、上記ＣＰＵ４１には、図１に示すように本体筐体１０Ａの前面下部に配置された、人感センサ４９から検出信号が入力される。ＣＰＵ４１は、この人感センサ４９により、当該サイネージ装置１０の前方に人物が接近したことが検出されることに応じて、スクリーンパネル１０Ｂに対する宣伝画像の投影動作を開始する。これにより、コンテンツデータを呈示する対象である閲覧者が居ない場合には、電力を消費する画像データの出力を停止して、省電力化を図ることが可能となっている。
【００２８】
また、上記システムバスＳＢと接続されたブルートゥースコントローラ４７は、図１に示すように本体筐体１０Ａの前面下部に配置されたブルートゥースアンテナ５０を介して、近距離に存在する上記スマートウォッチ２０との間で近距離無線通信信号Ｂｔによりデータ通信する。
【００２９】
また、上記システムバスＳＢと接続された無線ＬＡＮインタフェース４８は、無線ＬＡＮアンテナ５１を介して上記通信ネットワークＮＷと無線接続し、クラウドサーバ装置ＳＶから必要なデータの送受を行なう。
【００３０】
以上は一般的なサイネージ装置１０の構成であるが、本実施形態に係るサイネージ装置１０では、コンテンツメモリ３１にコンテンツデータとして、アプリデモ用コンテンツデータを記憶しているという特徴を備えている。このアプリデモ用コンテンツデータは、スマートウォッチ２０に予めインストールされている或いはそれに適宜インストール可能な複数のアプリの内、幾つか代表的なアプリについてのデモンストレーション用のコンテンツデータである。このアプリデモ用コンテンツデータの一つに、スマートウォッチ２０の端末用ライブ天気アプリに対応するライブ天気アプリデモ用コンテンツデータがある。
【００３１】
次に、前記構成のコンテンツ再生システムの動作について説明する。  
図３は、上記サイネージ装置１０によるコンテンツ出力処理を示すフローチャートである。このフローチャートに示す動作をＣＰＵ４１に行わせるための専用プログラムは、プログラムメモリ４３に記憶されている。あるいは、その一部または全部が、ライブ天気アプリデモ用コンテンツデータに含まれて、コンテンツメモリ３１に記憶されている。
【００３２】
なお、ここでは、サイネージ装置１０は、アプリデモ用コンテンツデータの内、ライブ天気アプリデモ用コンテンツデータが既に選択されているものとして説明する。コンテンツメモリ３１には、スマートウォッチ２０にインストールされている複数のアプリのデモンストレーション用のコンテンツデータが記憶されており、本サイネージ装置１０の電源オンで、まず、図１に示すように、その内の何れを再生するかを選択する選択画面がスクリーンパネル１０Ｂに投影表示される。図１の選択画面では、その選択内容（「Ａアプリデモ」「ライブ天気デモ」「Ｂアプリデモ」）と共に、本体筐体１０Ａの前面上部に配された４つのメニュー選択ボタン４４Ａ〜４４Ｄに対応する選択メニュー（「↑」「↓」「決定」「終了」）が含まれる。このような選択画面が投影された状態で、「ライブ天気デモ」を選択することで、図３のフローチャートの動作が開始される。
【００３３】
このサイネージ装置１０においては、先ず、ＣＰＵ４１が、ブルートゥースコントローラ４７によりブルートゥースアンテナ５０を介してスマートウォッチ２０と接続済みであるか否か、つまりサイネージ装置１０とスマートウォッチ２０のペアリングが完了しているか否かを判別する（ステップＳ１０１）。未だ接続済みでないならば（ステップＳ１０１のＮＯ）、ＣＰＵ４１は、既知の接続処理を実行して、スマートウォッチ２０と接続する（ステップＳ１０２）。その後、ＣＰＵ４１は上記ステップＳ１０１からの処理に戻る。
【００３４】
こうしてサイネージ装置１０とスマートウォッチ２０が接続されていると判別したならば（ステップＳ１０１のＹＥＳ）、ＣＰＵ４１は、無線ＬＡＮインタフェース４８により無線ＬＡＮアンテナ５１を介して通信ネットワークＮＷ上のクラウドサーバ装置ＳＶから、今現在雨が降っている降雨地点を検索して、降雨地点の名称、位置情報（例えばＧＰＳ情報）、及び降水量情報を取得する（ステップＳ１０３）。なお、ここでは、天気情報として降水量情報を例に説明するが、天気情報は、降水量情報に限定するものではなく、降雪量情報、雷発生情報、風量情報、等々、逐次変化する他の天気に関する情報であって良いことは勿論である。
【００３５】
降雨地点が検索されたならば、ＣＰＵ４１は、その検索された降雨地点を降水量の多い順に並べた降雨地点リストを作成し（ステップＳ１０４）、その降雨地点リストを、図４（Ａ）に示すように、スクリーンパネル１０Ｂに投影表示させる（ステップＳ１０５）。すなわち、ＣＰＵ４１は、降雨地点リストの画像データを投影画像駆動部３２に供給することによりマイクロミラー素子３３で画像を表示させながら、光源部３４より光源光を出射させることで、投影レンズ部３６によりスクリーンパネル１０Ｂに対して画像を投影させる。また、この降雨地点リストの表示と共に、ＣＰＵ４１は、ライブ天気アプリデモ用コンテンツデータが含む説明音声データを用いて、音処理部４５によりアナログの音声信号を生成させ、スピーカ部４６によりアプリの説明を放音させることができる。
【００３６】
このような降雨地点リストが表示された状況において、本体筐体１０Ａに設けられた操作部４４の４つのメニュー選択ボタン４４Ａ〜４４Ｄを適宜操作して、閲覧する降雨地点を選択する（ステップＳ１０６）。
【００３７】
また、ここまでの任意の時点で、スマートウォッチ２０では、図５（Ａ）に示すように、端末用ライブ天気アプリを立ち上げておく。サイネージ装置１０と接続済みの場合には、スマートウォッチ２０のＣＰＵは、位置情報及び天気情報である降水量情報の受信待ちとなる。
【００３８】
上記ステップＳ１０６において、操作部４４の操作によって閲覧する降雨地点の選択がなされたならば、ＣＰＵ４１は、無線ＬＡＮインタフェース４８により無線ＬＡＮアンテナ５１を介して、その選択された降雨地点に設置されているライブカメラが撮像しているライブカメラ映像データを受信する（ステップＳ１０７）。このライブカメラ映像データは、通信ネットワークＮＷ上のクラウドサーバ装置ＳＶを介して受信することも可能であるし、クラウドサーバ装置ＳＶから当該ライブカメラのアドレス情報を取得して直接、当該ライブカメラにアクセスして受信することも可能である。そして、ＣＰＵ４１は、この受信したライブカメラ映像データを、システムバスＳＢを介して投影画像駆動部３２に送ることで、図４（Ｂ）に示すように、スクリーンパネル１０Ｂに、選択降雨地点の現在のライブカメラ映像を投影表示させる（ステップＳ１０８）。このように、ＣＰＵ４１は、ライブカメラ映像をコンテンツとして再生出力する。
【００３９】
また、ＣＰＵ４１は、このコンテンツの位置情報（例えばＧＰＳ情報）と降水量情報とを、ブルートゥースコントローラ４７によりブルートゥースアンテナ５０を介してスマートウォッチ２０に無線送信させる（ステップＳ１０９）。
【００４０】
なお、このステップＳ１０７，Ｓ１０８とステップＳ１０９とは、順序が逆であっても良いし、並行して実施されても良い。
【００４１】
その後、ＣＰＵ４１は、本体筐体１０Ａに設けられた操作部４４の操作（図４（Ｂ）に示す「終了」表示に対応するメニュー選択ボタン４４Ｄの操作）による、このコンテンツ出力処理の終了指示を受けたか否かを判別する（ステップＳ１１０）。
【００４２】
終了指示を受けていない場合（ステップＳ１１０のＮＯ）、ＣＰＵ４１は、さらに、スマートウォッチ２０からの終了情報がブルートゥースアンテナ５０を介してブルートゥースコントローラ４７により受信されたか否かを判別する（ステップＳ１１１）。終了情報が受信されていない場合（ステップＳ１１１のＮＯ）、ＣＰＵ４１は、上記ステップＳ１０７からの処理に戻る。
【００４３】
すなわち、端末用ライブ天気アプリを実行しているスマートウォッチ２０では、このサイネージ装置１０から無線送信されてきたコンテンツの位置情報と降水量情報とを受信し、スマートウォッチ２０のＣＰＵは、その受信した情報に従って、図５（Ｂ）に示すように、位置情報で示される現在位置を中心とした周囲の降水量を、タッチパネル付き表示部２１にグラフィカル表示させる。このグラフィカル表示では、降水量に応じて表示色を変えることで、どちらの方向の、どのくらいの距離の場所で、どの程度の雨が降っているかを容易に判別可能となっている。
【００４４】
なお、端末用ライブ天気アプリでは、この図５（Ｂ）に示すようなグラフィカル表示と、図５（Ｃ）に示すようなテキスト情報表示と、を切替可能に構成されている。この情報表示においても、サイネージ装置１０から無線送信されてきたコンテンツの位置情報及び降水量情報に従った表示が行われることは言うまでもない。
【００４５】
このように、スマートウォッチ２０のＣＰＵは、サイネージ装置１０から送られてきた位置情報及び降水量情報を、携帯型情報処理機器から送られてきた位置情報及び降水量情報であるとして動作を行う。
【００４６】
こうして、ＣＰＵ４１が上記ステップＳ１０７〜Ｓ１１１の処理を繰返し実行することで、サイネージ装置１０からスマートウォッチ２０へ、コンテンツの位置情報と降水量情報が逐次に送信され、サイネージ装置１０のスクリーンパネル１０Ｂに投影表示されたコンテンツである選択降雨地点のライブカメラ映像表示と、スマートウォッチ２０のタッチパネル付き表示部２１に表示された降水量のグラフィカル表示とが、逐次更新されていく。
【００４７】
なお、スマートウォッチ２０では、任意の時点で、この選択降雨地点についての降水量についての表示を終了させることができる。これは、端末用ライブ天気アプリを終了させる操作により行われる。すなわち、所定の終了操作が行われると、スマートウォッチ２０のＣＰＵは、タッチパネル付き表示部２１に、図５（Ｄ）に示すような終了確認画面を表示させ、レ点がタッチ操作されることで、当該端末用ライブ天気アプリを終了させる。
【００４８】
この終了情報の受信がブルートゥースコントローラ４７によりＣＰＵ４１に伝えられる。このように終了情報が受信された場合（ステップＳ１１１のＹＥＳ）、ＣＰＵ４１は、上記ステップＳ１０５からの処理に戻る。
【００４９】
これにより、別の降雨地点の選択が可能となる。そして、別の項地点を選択して、当該地点の位置情報及び降水量を用いた端末用ライブ天気アプリのデモンストレーションを行う場合には、もう一度、スマートウォッチ２０で端末用ライブ天気アプリを立ち上げることとなる。
【００５０】
なお、上記ステップＳ１１１において、終了情報の受信だけでなく、本体筐体１０Ａに設けられた操作部４４の操作（図４（Ｂ）に示す「戻る」表示に対応するメニュー選択ボタン４４Ｃの操作）による、戻り指示の有無を判別するようにしても良い。これにより、スマートウォッチ２０で端末用ライブ天気アプリを終了させずに、別の降雨地点の選択が可能なる。
【００５１】
また、上記ステップＳ１１０において、販売員または閲覧者による、図４（Ｂ）に示す「終了」表示に対応するメニュー選択ボタン４４Ｄの操作によって、このコンテンツ出力処理の終了指示を受けた場合（ステップＳ１１０のＹＥＳ）、ＣＰＵ４１は、このコンテンツ出力処理を終了して、図１に示すような選択画面の投影表示を行うことになる。
【００５２】
なお、図３のフローチャートでは特に示してはいないが、上記ステップＳ１０６において、降雨地点リストから降雨地点を選択せずに、図４（Ａ）に示す「戻る」表示に対応するメニュー選択ボタン４４Ｄの操作によって、このコンテンツ出力処理の終了指示を受けた場合にも、ＣＰＵ４１は、このコンテンツ出力処理を終了して、図１に示すような選択画面の投影表示を行うことになる。
【００５３】
以上詳述した如く本実施形態によれば、コンテンツである映像（例えばライブカメラ映像）以外の情報であるコンテンツの位置情報及び天気情報を外部機器、つまりスマートウォッチ２０へ無線送信出力できるようにしたので、スマートウォッチ２０ではそのコンテンツの位置情報及び天気情報を使用する機能をその場で居ながらに体験させることが可能となり、商品であるスマートウォッチ２０に対する効果的な宣伝を行うことが可能となる。
【００５４】
また、上記実施形態では、無線ＬＡＮインタフェース４８により無線ＬＡＮアンテナ５１を介してライブカメラからライブカメラ映像データを取得し、このライブカメラ映像データによるライブカメラ映像をコンテンツとしてスクリーンパネル１０Ｂに投影表示することができる。
【００５５】
さらに、上記実施形態では、このライブカメラの設置場所における位置情報及び天気情報を取得し、この取得した位置情報及び天気情報をブルートゥースコントローラ４７によりブルートゥースアンテナ５０を介してスマートウォッチ２０に無線送信出力するので、スマートウォッチ２０でグラフィカル表示している天気情報に対応する現在の降雨状況をライブカメラ映像として閲覧者に呈示して、より臨場感あふれるデモを体験させることができる。
【００５６】
また、上記実施形態では、現在時点の降水量情報とその位置情報とを提供する通信ネットワークＮＷ上のクラウドサーバ装置ＳＶから、現在時点で雨が降っている複数の降雨地点それぞれの降水量情報及び位置情報を、無線ＬＡＮインタフェース４８により無線ＬＡＮアンテナ５１を介して取得し、店頭の販売員または宣伝を視聴しようとする閲覧者による操作部４４の操作で、それら複数の降雨地点の内の一つの選択を受け付け、この選択された降雨地点に対応するライブカメラ映像データを通信ネットワークＮＷ上のライブカメラから無線ＬＡＮインタフェース４８により無線ＬＡＮアンテナ５１を介して取得して、それをコンテンツとしてスクリーンパネル１０Ｂに投影表示すると共に、その選択された降雨地点の降水量情報及び位置情報をブルートゥースコントローラ４７によりブルートゥースアンテナ５０を介してスマートウォッチ２０に無線送信出力するので、スマートウォッチ２０では位置情報及び降水量情報を使用する機能のデモンストレーションが可能になる。
【００５７】
なお、上記実施形態では、ライブカメラ映像データを表示させたが、これに限らず、予め記憶されたコンテンツを表示し、そのコンテンツに基づいて天気情報や位置情報をスマートウォッチ２０に送信しても良い。
【００５８】
なお、上記実施形態では、サイネージ装置１０がＤＬＰ（登録商標）（Ｄｉｇｉｔａｌ  Ｌｉｇｈｔ  Ｐｒｏｃｅｓｓｉｎｇ）方式のプロジェクタ技術を用いて画像の投影を行う場合について例示したが、本発明はコンテンツを出力する方式や表示素子等を限定するものではない。
【００５９】
また、上記実施形態では、降雨地点を検索して選択させるものとしたが、降雨地点に加えて、あるいはその代わりに、降水量に依らない任意の地点を選択可能としても良いことは勿論である。
【００６０】
また、上記実施形態では、サイネージ装置１０からコンテンツの位置情報と降水量情報とをスマートウォッチ２０に送信するものとしたが、コンテンツの位置情報だけを送信するものとしても良い。すなわち、商品としてのスマートウォッチ２０が、通信ネットワークＮＷとの接続機能を有する場合には、コンテンツの位置情報のみをスマートウォッチ２０に送信し、スマートウォッチ２０側では、その位置情報に応じて降水量情報を取得するようにしても良い。
【００６１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６２】
以下に、本願出願の当初の特許請求の範囲に記載された発明を付記する。  
［請求項１］
映像データを含むコンテンツデータを再生出力する再生手段と、
上記再生手段で再生出力している上記コンテンツデータに関連する位置情報及び天気情報を無線送信出力する無線送信手段と、
を備えるコンテンツ出力装置。  
［請求項２］
通信ネットワークを介して情報を取得する情報取得手段をさらに備え、
上記再生手段で再生している上記コンテンツデータは、上記情報取得手段によってライブカメラから取得したライブカメラ映像データである、
請求項１記載のコンテンツ出力装置。  
［請求項３］
上記情報取得手段は、上記ライブカメラの設置場所における位置情報及び天気情報を取得し、
上記無線送信手段は、この取得した上記位置情報及び上記天気情報を無線送信出力する、
請求項２記載のコンテンツ出力装置。  
［請求項４］
上記天気情報は、降水量情報を含む、請求項３記載のコンテンツ出力装置。  
［請求項５］
上記情報取得手段は、現在時点の降水量情報とその位置情報とを提供するクラウドサーバ装置から、現在時点で雨が降っている複数の降雨地点それぞれの降水量情報及び位置情報を取得し、
それら複数の降雨地点の内の一つの選択を受け付ける選択手段をさらに備え、
上記情報取得手段は、上記ライブカメラ映像データとして、上記選択手段によって選択された上記降雨地点に対応するライブカメラ映像データを取得し、
上記無線送信手段は、上記選択手段によって選択された上記降雨地点の上記降水量情報及び上記位置情報を無線送信出力する、
請求項４記載のコンテンツ出力装置。  
［請求項６］
映像データを含むコンテンツデータを再生出力する再生工程と、
上記再生出力している上記コンテンツデータに関連する位置情報及び天気情報を無線送信出力する無線送信工程と、
を有するコンテンツ出力方法。  
［請求項７］
コンテンツを出力する装置が内蔵したコンピュータが実行するプログラムであって、上記コンピュータを、
映像データを含むコンテンツデータを再生出力する再生手段、及び
上記再生手段で再生出力している上記コンテンツデータに関連する位置情報及び天気情報を無線送信出力する無線送信手段、
として機能させるプログラム。
【符号の説明】
【００６３】
１０…サイネージ装置、
１０Ａ…本体筐体、
１０Ｂ…スクリーンパネル、
２０…スマートウォッチ、
２１…タッチパネル付き表示部、
３１…コンテンツメモリ、
３２…投影画像駆動部、
３３…マイクロミラー素子、
３４…光源部、
３５…ミラー、
３６…投影レンズ部、
４０…ＮＦＣ部、
４０Ａ…タッチ部、
４１…ＣＰＵ、
４２…メインメモリ、
４３…プログラムメモリ、
４４…操作部、
４４Ａ〜４４Ｄ…メニュー選択ボタン、
４５…音処理部、
４６…スピーカ部、
４７…ブルートゥースコントローラ、
４８…無線ＬＡＮインタフェース、
４９…人感センサ、
５０…ブルートゥースアンテナ、
５１…無線ＬＡＮアンテナ、
ＢＬ…バスライン、
Ｂｔ…近距離無線通信信号、
ＮＷ…通信ネットワーク、
ＳＶ…クラウドサーバ装置。
【図１】
2018046490.tif 000003
【図２】
2018046490.tif 000004
【図３】
2018046490.tif 000005
【図４】
2018046490.tif 000006
【図５】
2018046490.tif 000007